(57)【要約】      （修正有）【課題】２軸延伸ブロー成形による合成樹脂製窓付き容器において、窓部の外観が損なわれないように縦帯状の透明な窓部をクリアに形成する。【解決手段】プリフォームの形状が維持された筒状の口部２と、口部２に連なるとともに円形以外の横断面を有する筒状であり、透明または半透明な縦帯状の窓部１１を有する胴部３と、胴部３に連なる底部４と、を有するボトル状の合成樹脂製窓付き容器１であって、口部２に、金型に対する位置決めのための位置決め部８を設けたことを特徴とする。【選択図】図１
2017114553.tif 000002
【特許請求の範囲】
【請求項１】
プリフォームの形状が維持された筒状の口部と、
該口部に連なるとともに円形以外の横断面を有する筒状であり、透明または半透明な縦帯状の窓部を有する胴部と、
該胴部に連なる底部と、を有するボトル状の合成樹脂製窓付き容器であって、
前記口部に、金型に対する位置決めのための位置決め部を設けたことを特徴とする、合成樹脂製窓付き容器。
【請求項２】
前記胴部の横断面が略四角形であり、
前記窓部が、前記胴部の対角方向に設けられている、請求項１に記載の合成樹脂製窓付き容器。
【請求項３】
前記胴部の横断面が、長径と短径を有する形状であり、
前記窓部が、前記胴部の短径方向に設けられている、請求項１記載の合成樹脂製窓付き容器。
【請求項４】
前記位置決め部が、前記口部の外面から径方向外側に突出する環状のネックリングに設けられている、請求項１に記載の合成樹脂製窓付き容器。
【請求項５】
前記位置決め部が、径方向内側に向けて凹状となる切欠きで構成される、請求項４に記載の合成樹脂製窓付き容器。
【請求項６】
前記窓部が、前記位置決め部と同じ周方向位置に設けられている、請求項１〜５の何れか一項に記載の合成樹脂製窓付き容器。
【発明の詳細な説明】
【技術分野】
【０００１】
本発明は外側から内容物の残量を確認することのできる透明または半透明な窓部を有する２軸延伸ブロー成形による合成樹脂製窓付き容器に関する。
【背景技術】
【０００２】
従来より合成樹脂製のブロー成形容器は、飲料、食品、洗剤、化粧品、薬品等の用途に多く用いられており、内容物を紫外線等から保護するように遮光性を付与したり、外観デザイン性の向上の目的により内容物が見えない、または見え難い様にしている場合が多く見受けられる。遮光性を付与したり、内容物を外から見えない、または見え難い様にする手段としては、容器自体を着色した樹脂により不透明にする、または半透明であっても濃い色で着色する手段が用いられている。また、容器の外表面を塗装により不透明、または濃い色の半透明に着色する、容器の外表面を不透明または濃い色の半透明な、あるいは表面に不透明または濃い色の半透明な印刷をしたシュリンクフィルムでオーバーコートする等の手段が用いられている。
【０００３】
ただ、このように内容物を外から見えない、または見え難い様にすると、内容物の残量を外側から確認することができない、または内容物の視認性が低下するので、使用に際して不便であり、安心して使用することができない。また、内容物を再充填して使用する際には充填の状態が見えないので入れすぎて内容物を溢れさせてしまうと云うような問題も生じる。
【０００４】
上記したような問題を改良する手段としては、透明または半透明の容器を用い、部分的にマスキングをして塗装後マスキングを剥がして窓部を形成する手段、シュリンクフィルムの場合には一部を印刷しないで透明のまま残して窓部を形成し、内容物の残量を外から確認できるようにする手段がある。
【０００５】
特許文献１には着色樹脂からなる周壁に、この周壁を完全に分断するように縦帯状に透明な樹脂による窓部を形成したダイレクトブロー成形によるブロー成形容器に係る発明が記載されている。この容器は、前駆体となる円筒状のパリソンを押出成形する際、押出し成形に使用するダイスの、着色樹脂が流動する円筒状流路の一部に未着色の透明樹脂を押出し方向に流し込み、縦帯状に押出される透明樹脂で着色樹脂からなる周壁を周方向に完全に分断するようしたパリソンをブロー成形より成形したものであり、縦帯状に透明な窓部を比較的に容易に形成することができる。
【先行技術文献】
【特許文献】
【０００６】
【特許文献１】特開２００５−１５３９０１号公報
【発明の概要】
【発明が解決しようとする課題】
【０００７】
ダイレクトブロー成形による容器では、上記したように比較的容易に縦帯状に透明な窓部を形成することができるが、一方、射出成形した試験管状のプリフォームを２軸延伸ブロー成形したポリエチレンテレフタレート（以下、ＰＥＴと略記する。）樹脂製等の、２軸延伸ブロー成形ボトル等の容器ではダイレクトブロー成形による容器のように、縦帯状の透明な窓部を形成しようとすると、透明な窓部の一部に着色した樹脂が混入して窓部の外観が損なわれる、さらには窓部の一部が不透明になってしまう等の問題がある。
【０００８】
それゆえ、本発明は、２軸延伸ブロー成形による合成樹脂製窓付き容器における、上記した窓部の外観が損なわれる等の問題を解消することを課題とし、縦帯状の透明な窓部をクリアに形成した合成樹脂製窓付き容器を提供することを目的とするものである。
【課題を解決するための手段】
【０００９】
本発明は上記課題を解決するためになされものであり、本発明の合成樹脂製窓付き容器は、プリフォームの形状が維持された筒状の口部と、
該口部に連なるとともに円形以外の横断面を有する筒状であり、透明または半透明な縦帯状の窓部を有する胴部と、
該胴部に連なる底部と、を有するボトル状の合成樹脂製窓付き容器であって、
前記口部に、金型に対する位置決めのための位置決め部を設けたことを特徴とするものである。ここで、「円形」とは、略真円形を示し、長径と短径を有する楕円形などは除くものである。
【００１０】
なお、本発明の合成樹脂製窓付き容器にあっては、前記胴部の横断面が略四角形であり、
前記窓部が、前記胴部の対角方向に設けられていることが好ましい。
【００１１】
また、本発明の合成樹脂製窓付き容器にあっては、前記胴部の横断面が、長径と短径を有する形状であり、
前記窓部が、前記胴部の短径方向に設けられていることが好ましい。
【００１２】
また、本発明の合成樹脂製窓付き容器にあっては、前記位置決め部が、前記口部の外面から径方向外側に突出する環状のネックリングに設けられていることが好ましい。
【００１３】
また、本発明の合成樹脂製窓付き容器にあっては、前記位置決め部が、径方向内側に向けて凹状となる切欠きで構成されることが好ましい。
【００１４】
また、本発明の合成樹脂製窓付き容器にあっては、前記窓部が、前記位置決め部と同じ周方向位置に設けられていることが好ましい。
【発明の効果】
【００１５】
したがって、本発明によれば、２軸延伸ブロー成形による合成樹脂製窓付き容器における、上記した窓部の外観が損なわれる等の問題を解消することを課題とし、縦帯状の透明な窓部をクリアに形成した合成樹脂製窓付き容器を提供することができる。さらに、口部に、金型に対する位置決めのための位置決め部を設けることによって、当該窓部を、予め設定した胴部の周方向位置に設けることが可能な合成樹脂製窓付き容器を提供することができる。
【図面の簡単な説明】
【００１６】
【図１】（ａ）は、本発明の一実施形態に係る合成樹脂製窓付き容器の平面図であり、（ｂ）は、図１（ａ）の合成樹脂製窓付き容器における正面図である。
【図２】（ａ）は、本発明の他の実施形態に係る合成樹脂製窓付き容器の平面図であり、（ｂ）は、図２（ａ）の合成樹脂製窓付き容器における正面図である。
【図３】（ａ）は、本発明の合成樹脂製窓付き容器における口部の他の例を示す図であり、（ｂ）は、プリフォームの一例を示す図である。
【図４】（ａ）、（ｂ）はそれぞれ、本発明の他の実施形態に係る合成樹脂製窓付き容器の平面図である。
【発明を実施するための形態】
【００１７】
以下、図面を参照して、本発明の一実施形態に係る合成樹脂製窓付き容器１（以下、単に「容器」とも称する）について詳細に例示説明する。図１（ａ）、（ｂ）に示すように、本発明の容器１は、軸線Ｃを中心とする円筒状の口部２と、口部２に連なる胴部３と、胴部３に連なる底部４とを有するボトル状の容器である。なお、本明細書において、上下方向とは、合成樹脂製窓付き容器１の中心軸線Ｃに沿う方向（軸線方向）を意味し、上方とは口部２の開口部が位置する側（例えば、図１における上方）、下方とは底部４が位置する側（例えば、図１における下方）を意味するものとする。
【００１８】
口部２には、口部２の外面から径方向外側に突出する環状のネックリング５が設けられており、ネックリング５の上方には、容器１の内容物を注出するための注出口等を設けた注出キャップ（図示省略）等を打栓によりアンダーカット係合させるための突起部６が設けられている。なお、突起部６にかえて、図３（ａ）に示すように、雄ねじ７を設け、注出キャップ等を螺着させる構成としてもよい。口部２は、後述するプリフォーム１２の口筒部１３の形状が維持されたものである。
【００１９】
本実施形態においてネックリング５には、凹状の位置決め部８が設けられている。本実施形態において位置決め部８は、径方向内側に向けて凹状となる切欠きで構成される。なお、位置決め部８は、径方向内側に向けて凹状となる構成に限らず、径方向外側に向けて凸状となる構成としてもよい。また、軸線方向（上下方向）に凹状または凸状となる構成としてもよい。また、本実施形態では、位置決め部８を、軸線Ｃを中心に１８０°離れた２箇所にそれぞれ配置しているが、これに限定されず、位置決め部８は、ネックリング５に１つのみ設けてもよいし、位置決め部８としての機能を発揮可能であれば３つ以上設けてもよい。
【００２０】
胴部３は、口部２の下端から下方（底部側）に向けて徐々に拡径する傾斜部９と、傾斜部９から底部４まで延びる略同径の角筒部１０と、を有する。角筒部１０は、中心軸線Ｃに垂直な断面（横断面）が略四角形、より詳細には、正方形の角部を面取りしたような形状となっている。胴部３には、透明または半透明で容器１の内部を視認可能な縦帯状の窓部１１が周方向に１箇所設けられており、当該窓部１１を除いた領域は、窓部１１に比べて不透明で容器１の内部を視認できない、あるいは視認し難い構成となっている。窓部１１は、図１（ａ）に示す平面視で、傾斜部９において放射状に延びている。胴部３は、円形でない横断面を有する形状であれば、特に限定されず、任意の筒形状を採用することができる。
【００２１】
図１（ａ）、（ｂ）に示すように、本実施形態において、窓部１１は、口部２から底部４までの高さ全体にわたって、胴部３の横断面における、角部を面取りした略四角形の１つの角部に設けられている。言い換えれば、窓部１１は、胴部３の対角方向の１箇所に設けられている。本実施形態では、窓部１１が、底部４から口部２まで延在しているが、これに限定されるものではなく、窓部１１は、底部４及び口部２を除いて胴部３のみに設けてもよい。
【００２２】
また、本実施形態では、窓部１１を、２つのうち一方の位置決め部８と同じ周方向位置に設けている。窓部１１の位置は、図１の例に限定されるものではなく、図２（ａ）、（ｂ）に示すように、位置決め部８と異なる周方向位置に設けてもよい。ここで、図２（ａ）、（ｂ）に示す合成樹脂製窓付き容器２０において窓部１１は、角筒部１０を構成する４つの側面１０ａのうちの１つの側面１０ａにおける中心を通り、口部２から底部４にわたって軸線方向に延在している。ずなわち、窓部１１は胴部３（角筒部１０）の横断面を構成する四角形の一辺に延在している。なお、窓部１１は、胴部３の周方向に間隔を空けて複数本設けてもよい。
【００２３】
以下に、上記のような構成の合成樹脂製窓付き容器１の製造方法の一例について説明する。合成樹脂製窓付き容器１は、射出成形により形成した試験管状のプリフォーム１２（図３（ｂ）参照）を、２軸延伸ブロー成形することにより、形成することができる。
【００２４】
プリフォーム１２は、円筒状の口筒部１３と、口筒部１３に連なる円筒状の周壁部１４と、周壁部１４の下端開口を閉塞する半球状の底壁部１５とを有する。プリフォーム１２の周壁部１４は、周壁部１４の略全体を構成する未着色のＰＥＴ樹脂等である主材樹脂からなる基体層と、当該基体層中に積層配置された白色等に着色したＰＥＴ樹脂等である中間層樹脂からなる中間層と、で構成される。中間層は、周壁部１４における周方向の一部を除いて設けられている。周壁部１４において中間層が積層配置された領域は、外面から内面にかけて、基体層、中間層、基体層という３層からなる積層構造となっている。一方、周壁部１４において中間層が配置されていない領域、すなわち、透明または半透明な主体層だけで形成されている縦帯状の非積層部１６が、ブロー成形を経て、上記の窓部１１となる。口筒部１３および底壁部１５は、中間層を積層配置して不透明としてもよいし、中間層を積層配置せずに透明または半透明としてもよい。なお、２軸延伸ブロー成形の際にはほとんど変形しない口筒部１３には、上述した容器１のネックリング５および突起部６が予め設けられており、ネックリング５には、凹状の位置決め部８が設けられている。この位置決め部８は、非積層部１６と同じ周方向位置に設けられている。
【００２５】
プリフォーム１２は、例えば、以下の方法により形成することができる。すなわち、主材樹脂による基体層を形成する内流路及び外流路と、内流路と外流路の間に位置し、中間層樹脂による中間層を形成する中流路の３ケの円筒状の層形成流路を同軸心状に配設する。これら３ケの円筒状の層形成流路の下流側に、これら３ケの流路が合流する円柱状の合流路を配設する。中流路の下流側の端部に周方向に該中流路を横断する遮断縦リブ片を配設し、この遮断縦リブ片により中流路を周方向に分断する構成をとしたノズル部を配設した射出成形装置を使用し、主材樹脂を外側流路と内側流路から合流路に所定の供給速度で所定時間供給し、主材樹脂が供給される所定時間範囲内の一定時間、同時に中間層樹脂を中流路から合流路に所定の供給速度で供給する。合流路に円柱状に合流した、主材樹脂中に中間層樹脂が積層した円柱状の積層溶融樹脂体を、ノズルの先端に連結して配設される金型のキャビティの、プリフォーム１２の底壁部１５の中央に相当する位置に配設されるゲートを介してキャビティ内に射出、充填する。遮断縦リブ片による中流路中での中間層樹脂の周方向への分断により、プリフォーム１２の周壁部１４に軸線方向に沿って縦帯状に延設される中間層の積層のない非積層部１６を形成する、というものである。
【００２６】
上記のようなプリフォーム１２を用いて二軸延伸ブロー成形するにあたっては、延伸効果を発現させることのできる温度にプリフォーム１２を加熱し、成形用割り金型（図示省略）に装着する。この際、凹状の位置決め部８を金型に設けた凸部に嵌め合わせるように配置することにより、金型に対するプリフォーム１２の周方向位置を容易に決定することができる。
【００２７】
プリフォーム１２を金型に装着した後は、ブロー成形装置（図示省略）の延伸ロッドによる縦延伸、及び口筒部１３にあてがったノズルからプリフォーム１２内に注入される加圧流体による横延伸によって、成形金型のキャビティに沿った形状にプリフォーム１２を膨出変形させて所望の容器を成形する。なお、周壁部１４の縦延伸は、延伸ロッドではなく、加圧流体によって行うことも可能である。また、加圧流体の種類は特に限定されるものではなく、適切な液体または気体等を選択して使用することができる。
【００２８】
以上のような構成の容器１にあっては、ネックリング５に位置決め部８を設けたことで、プリフォーム１２の非積層部１６を、ブロー成形金型における所定の周方向位置に配置することができる。このため、ブロー成形後の容器１において、所期した周方向位置に窓部１１を配置することが可能となる。これにより、容器１の内部を視認し易い位置に窓部１１を配置することが可能となり、また、所望のデザイン性を実現することができる。そして本発明によれば、窓部１１の外観が損なわれることなく、縦帯状の透明な窓部１１をクリアに形成した２軸延伸ブロー成形による合成樹脂製窓付き容器１を提供することができる。
【００２９】
なお、本実施形態では、窓部１１を、２つのうち一方の位置決め部８と同じ周方向位置に設ける構成としたことにより、プリフォーム１２の非積層部１６が１つの位置決め部８と同じ周方向位置となるため、より容易にブロー成形金型に対して非積層部１６を位置合わせすることができる。
【００３０】
図２（ｂ）に示すように、雄ねじ７に間欠部７ａを設け、当該間欠部７ａをブロー成形金型への装着の際の位置決め部として用いることも可能である。この場合、金型には間欠部７ａに対応する凸部が設けられており、このように、ネックリング５の位置決め部８に加えて間欠部７ａを設けることで、金型に対するプリフォーム１２の位置合わせの精度を高めることができる。その結果、容器１において、より正確に所期した周方向位置に窓部１１を設けることができる。なお、ネックリング５の位置決め部８を設けずに、雄ねじ７に設けた間欠部７ａのみを位置決め部としてもよいし、口部２の他の位置に凹凸状等の位置決め部を設け、金型の対応する位置に当該位置決め部に対応する凹凸形状等を設けることも可能である。
【００３１】
図４（ａ）、（ｂ）はそれぞれ、本発明の他の実施形態である合成樹脂製窓付き容器３０、４０を平面図で示したものである。図４（ａ）に示す容器３０は、胴部３の横断面が長径と短径を有する楕円形であり、２つの位置決め部８及び窓部１１が、胴部３における楕円形の短径方向（短径側の周方向位置）に配置されている。
【００３２】
図４（ｂ）に示す容器４０は、２つの位置決め部８及び窓部１１が、胴部３における楕円形の長径側の周方向位置に配置されている。以上のように、本発明の合成樹脂製窓付き容器１、２０、３０、４０によれば、所期した胴部３の周方向位置に窓部１１を設けることができるので、内容物の残量の確認し易さや外観のデザイン性を高めることが可能となる。
【００３３】
本発明は前記実施の形態に限定されるものではなく、その要旨を逸脱しない範囲で種々変更可能であることはいうまでもない。例えば、プリフォームは、周壁部に透明または半透明な縦帯状の部分を有し、ブロー成形後に窓部が形成されるものであれば、３層の積層構造に限られるものではない。
【符号の説明】
【００３４】
１  合成樹脂製窓付き容器
２  口部
３  胴部
４  底部
５  ネックリング
６  突起部
７  雄ねじ
７ａ  間欠部（位置決め部）
８  位置決め部
９  傾斜部
１０  角筒部
１０ａ  側面
１１  窓部
１２  プリフォーム
１３  口筒部
１４  周壁部
１５  底壁部
１６  非積層部
２０、３０、４０  合成樹脂製窓付き容器
Ｃ  中心軸線
【図１】
2017114553.tif 000003
【図２】
2017114553.tif 000004
【図３】
2017114553.tif 000005
【図４】
2017114553.tif 000006